(57)【特許請求の範囲】
【請求項１】
折り畳み式階段と上端に台を備えた脚体を連結してなる脚立において、上記折り畳み式階段は第１上リンク、下リンク、上縦リンク、それに下縦リンクを連結して平行四辺形リンク体を構成し、この平行四辺形リンク体の上記下リンクを床面に置いて一定間隔をおいて並設・起立するとともに、上記上縦リンクと下縦リンクに踏み板を第１上リンクと下リンクに平行して軸着し、又両第１上リンク間には台を取り付けし、一方の脚体上端両側には別の第２上リンクを屈曲自在に連結するとともに両第２上リンク間には台を取り付けして折り畳み式階段の台と同じ高さとなるように第１上リンクと第２上リンクを屈曲出来るように連結し、さらに脚体にはその下方に脚を伸縮自在に取り付けし、上記折り畳み式階段の第１上リンク先端から脚体下端にかけて伸縮可能とする支え部材を掛架し、折り畳み式階段の傾斜角度を固定する為に、下縦リンクと支え部材を止着するロック装置を備えたことを特徴とする折り畳み式脚立。
【請求項２】
上記ロック装置として下縦リンクにはレバー操作によって出入りするロックピンを設け、一方の支え部材には複数個の穴を等間隔で形成し、上記ロックピンを該穴に嵌合するようにした請求項１記載の折り畳み式脚立。
【発明の詳細な説明】
【０００１】
【産業上の利用分野】
本発明は安定性が高い折り畳み式の脚立に関するものである。
【０００２】
【従来の技術】
高所に物を置いたり、又は高所に在る物を取り除いたりする場合には一般に脚立が使用され、人はこの脚立に載って作業する。従って、各家庭には高所への物の出し入れを行う為に脚立を所有している場合が多い。勿論、該脚立は家の内装作業や外装作業に際しても用いることが多く、ハシゴとは違った用途がある。すなわち、脚立は両側に開くことが出来る２本の脚を有していて、ハシゴのように凭れ掛かって起立するのではなく、平坦な場所であるならば単独で起立することが出来る。
【０００３】
図５は従来から使用している一般的な脚立である。２本の脚体（イ）、（イ）は下方に向いて広がり、逆Ｖ型を成しており、該脚体（イ）、(イ)はその上端が台（ロ）に揺動自在に連結している。そして脚体（イ）は２本の縦桟（ハ）、（ハ）に踏み板（ニ）、（ニ）…を水平に取付けている。従って、これら踏み板（ニ）、（ニ）…に足を掛けて適当な高さまで上がることが出来る訳であるが、この型式の脚立の上記踏み板（ニ）は細い棒材であって、その為に足の支えが少なくて安定性に欠け、足を踏み外した時には作業中に落下してしまうことがある。又起立した状態であっても安定性に欠ける。
【０００４】
一方、該脚立は同図から明らかなように台（ロ）を通過する中立軸を中心として左右対称を成している為に、例えば台（ロ）の位置が脚体（イ）下端の位置から距離Ｌだけズレてしまうことになる。この位置ズレが使用用途によっては不都合となる場合が生じ、壁面に接した状態で使用することは出来ない。又、台（ロ）は小さくてこの上で作業するには危険が伴い、作業場所を変える際には該脚立に載ったままの状態では体を動かすことは出来ない。すなわち、一旦脚立から下りて脚立自体を適当な場所に動かさねばならない。
【０００５】
【発明が解決しようとする課題】
このように従来の脚立には上記のごとき問題がある。本発明が解決しようとする課題はこれら問題点であり、上端の台が大きくて安定性が高く、台に載ったままの状態である程度の動きが出来、特に重いものを持ち上げる場合にも危険性がなく、又一方の脚はほぼ垂直に立ち上がって、台との間に距離を置かない為に壁面に面して起立することが出来る脚立を提供する。
【０００６】
【課題を解決するための手段】
本発明の脚立は従来のような逆Ｖ型ではなく、片側の脚体をほぼ垂直とした台形を成している。一方の脚体は傾斜していて、該脚体に踏み板が取付けられた折り畳み式階段を構成している。この折り畳み式階段を構成する側片は平行四辺形リンク体を形成したものであり、第１上リンクと下リンクは床面に平行で、上縦リンクと下縦リンクは第１上リンクと下リンクの両端を連結している。台は左右の第１上リンク間に取付けされ、他の踏み板は該台に平行となるように上記上縦リンクと下縦リンク間に軸着されている。
【０００７】
上記踏み板の幅は両側の平行四辺形リンク体間距離であり、又奥行きは上縦リンクと下縦リンクを垂直に起立した場合の距離となっている。従って従来の脚立の踏み板に比較して奥行きが大きく、足を踏み外すことはなくて安定する。上下縦リンクは適当な角度に傾斜した階段の勾配となり、この角度を固定する為のロック装置を備えている。
【０００８】
上記折り畳み式階段の台を取付けしている左右の第１上リンクには別の第２上リンクが屈曲可能に連結し、該第２上リンクには同じく台が取着されている。そして台の後端には脚体が連結し、脚体は第２上リンクに対して屈曲出来るようになっているが、後方台の屈曲方向は両台が凸状になる方向であり、凹状には屈曲しない。又、折り畳み式階段の第１上リンク先端と脚体下端部との間には支え部材が掛架し、両台と脚体それに支え部材とで三角形を構成している。
【０００９】
上記三角形の形状は折り畳み式階段の勾配が如何に変化しても変わることはなく、台上面に作用する荷重によって支え部材には張力が作用し、後方の台に連結している脚体は倒れない。又、折り畳み式階段の勾配を所定の角度にて固定する為に該折り畳み式階段の下縦リンクと支え部材を締結するロック装置を備えている。更に、折り畳み式階段の勾配に合わせて脚の長さが調整出来る構造としている。以下、本発明に係る実施例を図面に基づいて詳細に説明する。
【００１０】
【実施例】
図１は本発明の脚立を表す実施例であって全体外観図を示している。同図から明らかなように、従来の脚立に比べて上端の台１は大きく、又踏み板２の面積も大きい。従って、足を踏み外すことはなく、安全で安定した脚立となる。そして、片側の脚体は折り畳み式の階段を構成して２枚の踏み板２，２は台１ａと平行を成しており、他方の脚体３は台１ｂからほぼ垂直下方に延びていて、下方には伸縮自在な脚４，４が取付けられている。勿論、踏み板は有していない。この台１ｂは折り畳み式階段５の台１ａと同じ高さとなっていて、互いに折り畳まれるように連結している。
【００１１】
同図における左側の傾斜した脚体のみをとらえるならば、折り畳み式階段５であり、この側部は平行四辺形リンク体で構成され、両平行四辺形リンク体間に踏み板２，２並びに台１ａが取着されている。これら踏み板２，２の取着形態は平行四辺形リンク体の変形に追従して動き得るように軸着される。この平行四辺形リンク体は第１上リンク６ａ、下リンク７、上縦リンク8、下縦リンク9から成っていて、第１上リンク６ａ、下リンク７の両端に上縦リンク8と下縦リンク９が連結して構成している。第１上リンク６ａと下リンク７は常に平行であって、しかも水平と成っており、又上縦リンク８と下縦リンク９も互いに平行を成し、所定の角度にて傾斜している。
【００１２】
そして踏み板２，２は上記第１上リンク６ａ，下リンク７に平行となるように上縦リンク８と下縦リンク９に側端の縁が止着されている。従って、平行四辺形リンク体がいかような形になっても、下リンク７が床面に接している限り、踏み板２，２は常に水平となり、折り畳み式階段の傾斜角度に影響しない。
【００１３】
ところで、この折り畳み式階段５の傾斜角度は自由に調整することが出来、しかも所定の勾配にて固定することが出来る構造となっている。すなわち、脚立の両側には支え部材１０，１０を斜めに取付けしており、その上端は第１上リンク６ａの前方端に連結し、下端は脚体３の下端に連結している。そしてこの支え部材１０は伸縮可能となっているが、同図に示すような脚立が起立した状態ではこれ以上延びないように規制されている。
【００１４】
図２は本発明の脚立の側面図であり、脚立が起立した状態では三角形ＡＢＣが形成され、この三角形ＡＢＣの形状は崩れない。すなわち、辺ＡＢは台１ａ，１ｂを取付けている第１上リンク６ａ，第２上リンク６ｂを連結した長さであり、辺ＢＣは脚体３の長さとなり、又辺ＡＣは支え部材１０が延び切った長さとなっている。三辺の長さが定まっていることで三角形ＡＢＣの形状は定まる。ここで、台１ａ，１ｂ上に人が載ることによって荷重Ｐが作用するならば支え部材１０には張力が作用し、縮まることはない。上記脚体３は僅かに傾斜している為に、荷重Ｐは脚体３の下端を外方向へ押し開く力となって作用する。
【００１５】
又、上記台１ａ，１ｂは軸１１を介して連結している訳であるが、該軸１１の位置は台１ａの下方にあって、台１ｂを取付けしている第２上リンク６ｂは台１ａの第１上リンク６ａの端面に当接し、上記荷重Ｐによって両台１ａ，１ｂが屈曲することはない。このように三角形ＡＢＣが定まることにより脚立の台１ａ，１ｂ及び第２上リンク１ｂに連結している脚体３は安定する。
【００１６】
しかし、折り畳み式階段５の傾斜角度は固定されることなく、上縦リンク８及び下縦リンク９はＡ点及び軸１１を中心として揺動することが出来る。従って、該折り畳み式階段５の傾斜角度を固定する為に、上記下縦リンク９を支え部材１０に固定する構造としている。図３はこのロック装置を表しており、下縦リンク９にはロックピン１２が取付けられ、該ロックピン１２はレバー１３によって作動し、支え部材１０に形成した穴に嵌合することが出来る。
【００１７】
支え部材１０には複数個の穴が一定間隔で設けられ、該穴にロックピン１２の先端が嵌合して下縦リンク９は固定され、ひいては折り畳み式階段５の傾斜角度が定まる。ロックピン１２はレバー１３と連結していて、該レバー１３を操作するならばロックピン１２は後退して支え部材１０の穴から離脱する。又ロックピン１２が穴から外れないようにコイルバネ１４が取付けられ、コイルバネ１４のバネ力を付勢している。
【００１８】
また上記脚体３には脚４が取付けられていて伸縮することが出来、台１ｂが台１ａと共に水平となるように調整される。該脚体３の下端には前記図３と同じようなロック装置が設けられており、脚４に等間隔で形成した穴にロックピンが嵌合して固定される。
【００１９】
図４は本発明の脚立を折り畳んだ場合である。同図に示すように、折り畳み式階段５の傾斜角を固定するロック装置を解除すると共に、上下縦リンク８，９を押しつぶして接近させ、台１ｂを軸１１にて屈曲させると共に脚体３をＢ点を軸として揺動して台１ｂに平行とし、同じく折り畳んだ階段に当接して図４のようにする。折り畳まれた脚立は一枚の板状態と成り、収納に支障を来すことがない。以上述べたように、本発明の脚立は折り畳み式階段に台を連結するとともに、該台には脚体を取付けしたものであって、次のような効果を得ることが出来る。
【００２０】
【発明の効果】
本発明の脚立は折り畳み式階段を備えており、この階段は平行四辺形リンク体に大きな踏み板を取付けした階段であり、上り下りに際して足を踏み外すことはなく安全である。そして、この折り畳み式階段はその傾斜度を自由に調整することが出来、更に上端には踏み板と同じ大きさの台が２枚設けられる為に面積は広く、該上端に載って作業をする場合には便利である。一方、該脚立は折り畳み式階段並びに脚体を折り畳んで一枚の板状態とすることが出来る為に、持ち運びや収納が容易となり、更に、該脚立の後方側の脚体は台に対して垂直を成している為に、部屋の壁面に空間を残すことなく接するように配置することが出来る。
【図面の簡単な説明】
【図１】  本発明の脚立を表す実施例。
【図２】  本発明の脚立の側面図。
【図３】  折り畳み式階段の傾斜角度を固定するロック装置。
【図４】  脚立を折り畳んだ状態。
【図５】  従来の脚立。
【符号の説明】
１  台
２  踏み板
３  脚体
４  脚
５  折り畳み式階段
６  上リンク
７  下リンク
８  上縦リンク
９  下縦リンク
10  支え部材
11  軸
12  ロックピン
13  レバー
14  コイルバネ
【図１】
0003650897.tif 000002
【図２】
0003650897.tif 000003
【図３】
0003650897.tif 000004
【図４】
0003650897.tif 000005
【図５】
0003650897.tif 000006